(57)【要約】【課題】  機器等の輸送、移動時等において破損し難く、機器等の不要処分時や最終処分後にも取り外して再利用することができるＩＣタグ収容体、及びＩＣタグ収容体を確実に保持することができ、容易に離脱することもできる収容体ホルダーを提供する。【解決手段】  ＩＣタグ２と、付加コード５１を記載した表示用ラベル５と、内壁面に嵌合凹部３２ａを形成し、外壁面に嵌合凸部３２ｂを形成した、ＩＣタグ２を収容するケース本体３と、外壁面に嵌合凸部４２ａを形成した、ケース本体３を被覆するケース蓋体４と、からＩＣタグ収容体１を構成する。上端部を開放し、側端部及び下端部の内壁面に嵌合凹部６２ａを形成し、下端部に開口部６３を形成した、ＩＣタグ収容体１を保持する収容体ホルダー６を構成する。【選択図】          図５
2006079202.tif 000002
【特許請求の範囲】
【請求項１】
ＩＣタグと、内壁面に嵌合凹部を形成し、外壁面に嵌合凸部を形成した、前記ＩＣタグを収容するケース本体と、外壁面に嵌合凸部を形成した、前記ケース本体を被覆するケース蓋体と、から構成されるＩＣタグ収容体。
【請求項２】
前記ケースの内部に表示用ラベルを収納し、又は前記ケースの正面に表示用ラベルを貼着し、この表示用ラベルの表面にＩＣタグを特定するための付加コードを記載したことを特徴とする請求項１に記載のＩＣタグ収容体。
【請求項３】
前記ケースの正面にＩＣタグを特定するための付加コードを直接印刷したことを特徴とする請求項１に記載のＩＣタグ収容体。
【請求項４】
前記付加コードは、各ＩＣタグに設定されている固有ＩＤ番号（ＵＩＤ）であることを特徴とする請求項２又は３に記載のＩＣタグ収容体。
【請求項５】
前記付加コードは、文字又は数字、バーコード又は２次元コードから構成されることを特徴とする請求項２乃至４に記載のＩＣタグ収容体。
【請求項６】
前記付加コードは、文字又は数字、バーコード又は２次元コードから構成されたものを暗号化したものであることを特徴とする請求項２乃至４に記載のＩＣタグ収容体。
【請求項７】
上端部を開放し、側端部及び下端部の内壁面に嵌合凹部を形成した、請求項１乃至６に記載のＩＣタグ収容体を保持する収容体ホルダー。
【請求項８】
下端部に開口部を形成したことを特徴とする請求項７に記載の収容体ホルダー。
【発明の詳細な説明】
【技術分野】
【０００１】
本発明は、パチンコ遊技機、複写機等の機器、物品等に関する各種情報データを管理するために使用されるＩＣタグ（ＲＦＩＤタグ）を収容し、再利用を可能としたＩＣタグ収容体及び収容体ホルダーに関する。
【背景技術】
【０００２】
近年、パチンコ遊技機、複写機等の機器、物品等に関する各種情報データを管理するために、ＩＣタグ（ＲＦＩＤタグ）の裏面に両面接着テープを付着したラベルタイプＩＣタグを機器、物品等の正面又は側面に貼着して、ＩＣタグに記録させた情報データをリーダライタで読み取ることが行なわれている（例えば、特許文献１参照）。
ここで、ＩＣタグとは、超小型のＩＣチップと無線通信用のアンテナとを一体化したものである。
【０００３】
ラベルタイプＩＣタグは、機器、物品等の正面又は側面に貼着するだけで、簡単に情報管理をすることができるので、多数の機器、物品等を管理する作業労力を軽減することができ、極めて便利である。
【０００４】
【特許文献１】特開２００４−２１２７８８号公報
【発明の開示】
【発明が解決しようとする課題】
【０００５】
しかし、ＩＣタグのアンテナは微細かつ肉薄なものであるため、上記ラベルタイプＩＣタグに湾曲力等の外力が負荷された場合には、引張り、曲げ、捩り等の応力が発生して、アンテナが容易に切断されてしまう。
よって、ラベルタイプＩＣタグは、取り扱いが簡易で便利ではあるが、機器、物品等の輸送、移動時等において、貼着されたラベルタイプＩＣタグに物が当たったり、引っかかったりした場合には、ラベルタイプＩＣタグが破損し易く、内部のＩＣタグも容易に破損してしまうという問題があった。
【０００６】
又、機器、物品等が不要になった場合や最終的に処分する時になって、ラベルタイプＩＣタグを取り外しても、その際にラベルタイプＩＣタグが湾曲してしまうので、結局、ＩＣタグも機能が毀損されてしまうという問題があった。
このような問題を解決するために、接着力の弱い両面接着テープを使用する方法が考えられるが、輸送、移動時にラベルタイプＩＣタグが剥がれ落ち易くなる、という別の問題が発生して、結局、このような問題を解決するのは困難であった。
【０００７】
ここで、ＩＣタグは比較的に高価であるにもかかわらず、ラベルタイプＩＣタグを使用する場合には、機器、物品等の１基、１品毎にラベルタイプＩＣタグを用意しなければならず、又、ラベルタイプＩＣタグは破損し易いので、新規のラベルタイプＩＣタグに交換する頻度も多くなり、ランニングコストが高いものとなっていた。
【０００８】
又、ＩＣタグが破損した場合には、通常の方法では、ＩＣタグに記録している情報データを読み出すことができなくなるため、新規のＩＣタグに再度情報データを書き込む場合には、書き込む情報を管理用サーバーから検索し、受信するか、又は、作業者がリーダー・ライターに直接手入力する必要があり、余計な労力を要すると共に、情報データの入力間違い等を発生する虞れもあった。
【０００９】
ところで、現在、一般に広く使用されているＩＣタグは、国際標準であるＩＳＯ１９ＸＸＸに準拠しているが、その中で規定されている固有ＩＤ番号（ＵＩＤ）の領域は、通常は、ＩＣタグの製造会社が製造時にのみ書き込みが可能となっていて、製造後においては読み取りのみが可能となっている。
しかし、このＵＩＤの領域を製造後においても書き込み可能となる特殊なＩＣタグを使用することによって、又、ＩＣタグ・リーダーからの問い合わせに対して、あたかも正規のＩＣタグが返答しているように見せかける電子回路を構成することによって、正規のＩＣタグに成りすますことが可能である。
【００１０】
このようなＩＣタグの成りすましという手段を使って、機器、物品等が設置されている場所に実際に赴くことなく、ＩＣタグに書き込まれている情報データを知って、登録業務等を不正に実行する可能性が指摘されている。
しかし、従来にあっては、このような不正行為を防止する有効な方策がなく、早急な対処が求められていた。
【００１１】
本発明は、かかる従来の問題点に鑑みて為されたものであって、その目的とするところは、機器、物品等の輸送、移動時等において破損し難く、機器、物品等の不要処分時や最終処分後にも取り外して再利用することができ、長期間に亘って新規のものに交換する必要のない、よって、ランニングコストを大幅に低減することができるＩＣタグ収容体を提供することにある。
【００１２】
本発明は、又、万が一ＩＣタグが破損した場合にあっても、交換する新規のＩＣタグに簡単にかつ確実に元の情報データを書き込むことができるＩＣタグ収容体を提供することを目的とする。
さらに、ＩＣタグの成りすましという手段を使って、機器、物品等の設置場所に赴くことなく登録業務等を実行するという不正行為を防止するのに有効なＩＣタグ収容体を提供することをも目的とする。
【００１３】
本発明は、又、本発明のＩＣタグ収容体を確実に保持することができると共に、万が一ＩＣタグが破損した場合にあっても、容易にＩＣタグ収容体を離脱、交換することができる収容体ホルダーを提供することをも目的とする。
【課題を解決するための手段】
【００１４】
上記目的を達成するために、本発明は、ＩＣタグと、内壁面に嵌合凹部を形成し、外壁面に嵌合凸部を形成した、ＩＣタグを収容するケース本体と、外壁面に嵌合凸部を形成した、ケース本体を被覆するケース蓋体と、からＩＣタグ収容体を構成したことを特徴とする。
【００１５】
又、前記ケースの内部に表示用ラベルを収納し、又は前記ケースの正面に表示用ラベルを貼着し、この表示用ラベルの表面にＩＣタグを特定するための付加コードを記載するのが好ましい。付加コードは、前記ケースの正面に直接印刷してもよい。
【００１６】
前記付加コードとして、各ＩＣタグに設定されている固有ＩＤ番号（ＵＩＤ）を採用することができる。
付加コードは、文字又は数字、バーコード又は２次元コードから構成してもよく、それらから構成されたものを暗号化したものとしてもよい。
【００１７】
本発明は、又、上端部を開放し、側端部及び下端部の内壁面に嵌合凹部を形成して、前記ＩＣタグ収容体を保持する収容体ホルダーを構成したことを特徴とする。
【００１８】
又、前記収容体ホルダーにおいて、下端部に開口部を形成するのが好ましい。
【発明を実施するための最良の形態】
【００１９】
以下、本発明のＩＣタグ収容体及び収容体ホルダーの好適な実施形態について、図面を参照して説明する。
【００２０】
本発明のＩＣタグ収容体１は、図１乃至図４に示すように、ＩＣタグ２と、ＩＣタグ２を収容するケース本体３と、ケース本体３を被覆するケース蓋体４とから構成される。
【００２１】
ＩＣタグ２は、図４に示すように、薄肉シート状のものであって、これに超小型のＩＣチップ２１と無線通信用のアンテナ２２とが搭載されている。
【００２２】
ケース本体３は、図１に示すように、プラスチツクを矩形に成形したものであって、平坦陥没部３１の周囲に隆起枠状部３２を形成してある。又、隆起枠状部３２の内壁面には嵌合凹部３２ａ，３２ａ，・・を形成してあり、外壁面には嵌合凸部３２ｂ，３２ｂを形成してある。
【００２３】
ケース蓋体４は、図２に示すように、プラスチツクを矩形に成形したものであって、平坦隆起部４１の周囲に陥没枠状部４２を形成してある。又、陥没枠状部４２の外壁面には嵌合凸部４２ａ，４２ａ，・・・を形成してある。
【００２４】
ケース本体３とケース蓋体４とから構成されるケースの内部には、前記ＩＣタグ２と共に、図３に示すような表示用ラベル５も収容される。
この表示用ラベル５の表面には、各ＩＣタグ２を特定するための付加コード５１が記載され、付加コード５１としては、各ＩＣタグ２の固有ＩＤ番号（ＵＩＤ）を採用することができる。付加コードは、文字又は数字、バーコード又は２次元コードから構成することができ、それらから構成されたものを暗号化したものとしてもよい。
又、付加コード５１として、各ＩＣタグ２の固有ＩＤ番号の他に、実際にＩＣタグ２を正しく読み取ったことを確認するための確認データ、ＩＣタグ２に記録された暗号化情報を復元するための暗号化キー等を記載してもよい。
【００２５】
先ず、ケース本体３の平坦陥没部３１にＩＣタグ２を載置し、その上に表示用ラベル５を載置する。次に、ケース蓋体４の平坦隆起部４１をケース本体３の平坦陥没部３１に嵌合させれば、図５に示すように、ケース蓋体４の嵌合凸部４２ａ，４２ａ，・・・とケース本体３の嵌合凹部３２ａ，３２ａ，・・とが嵌合して、ＩＣタグ２及び表示用ラベル５を押圧した状態で閉蓋されてケースが構成され、ＩＣタグ収容体１が構成される。
【００２６】
閉蓋時、ＩＣタグ２はケース蓋体４に押圧された状態で、殆ど挙動することなく確実に保持されてはいるが、ケース本体３又はケース蓋体４に貼着されている訳ではないから、ＩＣタグ収容体１に湾曲等の外力が負荷された場合にも、ＩＣタグ２は直接的にその影響を受けることはない。よって、引張り、曲げ、捩り等の応力が殆ど発生しないので、アンテナ２２が簡単に切断されることはなく、機器等の輸送、移動時等において、ＩＣタグ２の機能が毀損されてしまうことはない。
【００２７】
又、機器等の輸送、移動時等において、ＩＣタグ収容体１に物が当たったり、引っかかったりしても、ケースは強度が高く、簡単に破損したりしないから、ケースによって保護されて、ＩＣタグ２は容易に破損することはない。
【００２８】
又、機器等の不要処分時や最終処分時においても、ＩＣタグ２を収容したＩＣタグ収容体１として一体的に取り扱われ、ケースは強度が高く、簡単に湾曲したりしないから、ＩＣタグ２が湾曲されて、機能が毀損されてしまうこともない。
【００２９】
さらに、ＩＣタグ収容体１を構成するのに、ケース本体３内にＩＣタグ２を載置した後に、ケース蓋体４を被覆するだけで簡単に閉蓋することができ、接着、溶着等する必要はないから、ＩＣタグ収容体１の組立作業は極めて簡単である。
【００３０】
本発明の収容体ホルダー６は、図６に示すように、プラスチツクを矩形に成形したものであって、平坦陥没部６１の側端部及び下端部に隆起枠状部６２を形成し、上端部は開放状態としてある。又、隆起枠状部６２の内壁面には嵌合凹部６２ａ，６２ａ，・・を形成してあり、下端部には開口部６３を形成してある。
【００３１】
収容体ホルダー６は、機器、物品等の正面又は側面に接着剤又は粘着テープ等によって貼着される。そして、図７に示すように、前記ＩＣタグ収容体１を開放状態とした上端部から挿入させれば、ケース本体３の嵌合凸部３２ｂ，３２ｂ，・・が収容体ホルダー６の嵌合凹部６２ａ，６２ａ，・・と嵌合するので、ＩＣタグ収容体１は収容体ホルダー６に確実に保持される。
【００３２】
一方、収容体ホルダー６の下端部に形成した開口部６３に手指等を挿入して、ＩＣタグ収容体１を上方に押圧すれば、ケース本体３の嵌合凸部３２ｂ，３２ｂ，・・は収容体ホルダー６の嵌合凹部６２ａ，６２ａ，・・から脱出するので、ＩＣタグ収容体１を収容体ホルダー６から容易に離脱することができる。
【００３３】
よって、機器等の輸送、移動時等においては、ＩＣタグ収容体１は収容体ホルダー６に確実に保持されているから、ＩＣタグ２が破損することはない。又、機器等の不要処分時や最終処分時においては、ＩＣタグ収容体１を収容体ホルダー６から容易に離脱できるから、ＩＣタグ２の機能を毀損することもなく、再利用することができる。
【００３４】
ここで、ＩＣタグ収容体１を構成するケース本体３、ケース蓋体４及び収容体ホルダー６は何れもプラスチツクを成形したものであり、簡単かつ安価に製造することができるから、ランニングコストを低減することができる。
【００３５】
尚、前記表示用ラベル５は、必ずしもケースの内部に収容しなくともよく、ＩＣタグ収容体１の正面に貼着してもよい。又、ＩＣタグ収容体１の正面に付加コード５１等を直接印刷してもよい。
【００３６】
万が一、ＩＣタグ２が破損して、情報データの読み書きができなくなった場合には、そのＩＣタグ収容体１Ａを情報データが書き込まれていないＩＣタグ２を収容した新規のＩＣタグ収容体１Ｂに交換した上、新規のＩＣタグ２に元の情報データを正確に書き込む必要がある。以下、この作業手順について、図８を参照して説明する。
【００３７】
先ず、ＩＣタグ収容体１Ａに収容された表示用ラベル５に記載された付加コード５１をＩＣタグ・リーダライタ７に接続されたバーコードリーダ８によって読み取る。そして、この付加コード５１を検索用のインデックスとして管理用サーバー１０に送信し、破損したＩＣタグ２に書き込まれていた情報データを問い合わせ、管理用サーバー１０のデータベースから取得する。
付加コード５１が通常の文字又は数字から構成される場合には、作業者が目視によって読み取り、ＩＣタグ・リーダライタ７に直接手入力する。又、２次元コードから構成される場合には、２次元コードリーダによって読み取る。
【００３８】
次に、管理用サーバー１０から取得した情報データを、ＩＣタグ・アンテナ９によって新規のＩＣタグ収容体１Ｂに収容されたＩＣタグ２に書き込むと同時に、新規のＩＣタグ収容体１Ｂに収容された表示用ラベル５に記載された付加コード５１を管理用サーバー１０に送信し、管理用サーバー１０のデータベースを更新する。
この際、付加コード５１をバーコードリーダ８によって読み取り、管理用サーバー１０に送信してもよく、又は、ＩＣタグ２のＵＩＤを管理用サーバー１０に送信し、管理用サーバー１０内にあるデータベースに格納された情報データと付加コード５１を関連付けてもよい。
【００３９】
以上のような作業手順によって、破損したＩＣタグ２に書き込まれていた情報データを新規のＩＣタグ２に書き込むことができ、管理用サーバー１０のデータベースに格納される情報データも新規のＩＣタグ２の情報データに更新することができる。
【００４０】
ＩＣタグ２の成りすまし防止に関しては、ＩＣタグ２に書き込まれていない情報データを表示用ラベル５に記載しておき、読み取りの際にＩＣタグ２に書き込まれた情報データと共に処理をする方式として、正規のＩＣタグ２を収容したＩＣタグ収容体１を複数の手段によって読み取らないと、ＩＣタグ２に書き込まれた情報データの読み取り処理が完了しないようにする。
ここで、表示用ラベル５に記載しておく、ＩＣタグ２に書き込まれていない情報データとして、付加コード５１を採用することができる。
【００４１】
このようにすれば、不正行為を実行しようとする者は、ＩＣタグ２に書き込まれた情報データを知っただけでは、ＩＣタグ２の成りすましを成功させることは不可能となって、別に管理されている付加コード５１をも同時に知る必要がでてくる。
よって、ＩＣタグ２の成りすましを効果的に防止することができて、実際に機器等が設置されている場所に赴かずに、ＩＣタグ２に書かれている情報データを知っただけで、登録業務等を不正に実行することは極めて困難となる。
【図面の簡単な説明】
【００４２】
【図１】本発明のＩＣタグ収容体を構成するケース本体の（Ａ）は正面図、（Ｂ）は側断面図である。
【図２】本発明のＩＣタグ収容体を構成するケース蓋体の（Ａ）は正面図、（Ｂ）は側断面図である。
【図３】表示用ラベルの正面図である。
【図４】ＩＣタグの正面図である。
【図５】本発明のＩＣタグ収容体の（Ａ）は正面図、（Ｂ）は側断面図である。
【図６】本発明の収容体ホルダーの（Ａ）は正面図、（Ｂ）は側断面図である。
【図７】ＩＣタグ収容体を収容体ホルダーに保持する方法を示す説明図である。
【図８】ＩＣタグ収容体を交換した場合において、破損したＩＣタグの情報データを新規のＩＣタグに再書き込みする作業手順を示す説明図である。
【符号の説明】
【００４３】
１  ＩＣタグ収容体
２  ＩＣタグ
３  ケース本体
３２ａ  嵌合凹部
３２ｂ  嵌合凸部
４  ケース蓋体
４２ａ  嵌合凸部
５  表示用ラベル
５１  付加コード
６  収容体ホルダー
６２ａ  嵌合凹部
６３  開口部
【図１】
2006079202.tif 000003
【図２】
2006079202.tif 000004
【図３】
2006079202.tif 000005
【図４】
2006079202.tif 000006
【図５】
2006079202.tif 000007
【図６】
2006079202.tif 000008
【図７】
2006079202.tif 000009
【図８】
2006079202.tif 000010